(57)【要約】【課題】電線群または電線群に外装されたコルゲートチューブに対して繰り返し着脱することができる電線群支持用クリップおよびワイヤーハーネスを提供する。【解決手段】取付対象部材に係止されるクリップ体１０と、クリップ体１０に支持されて電線群４０の少なくとも半円筒部分を収容する受け側半筒体２０と、受け側半筒体２０で覆われない電線群４０の残りの半円筒部分を収容する押え側半筒体３０とを備え、受け側半筒体２０の外側面部に係合溝部２３を設け、押え側半筒体３０の内側面部に係合溝部２３が係合する係合凸部３１を設けた構成を有している。【選択図】図２
2015133774.tif 000002
【特許請求の範囲】
【請求項１】
取付対象部材に係止されるクリップ体と、
前記クリップ体に支持されて電線群または電線群に外装されたコルゲートチューブの少なくとも半円筒部分を収容する受け側半筒体と、
前記受け側半筒体で覆われない前記電線群または前記コルゲートチューブの残りの半円筒部分を収容する押え側半筒体とを備え、
前記受け側半筒体の外側面部に係合部を設け、
前記押え側半筒体の内側面部に前記係合部が係合する被係合部を設けたことを特徴とする電線群支持用クリップ。
【請求項２】
前記クリップ体は、前記電線群の軸方向に延びる嵌合部を有し、
前記受け側半筒体は、前記電線群の軸方向に延びる被嵌合部を有し、
前記嵌合部および前記被嵌合部は、前記クリップ体に対して前記受け側半筒体を前記電線群の軸方向に相対移動させることにより相互に嵌合するよう構成されていることを特徴とする請求項１に記載の電線群支持用クリップ
【請求項３】
前記受け側半筒体は、外径が一定範囲にある前記電線群または前記コルゲートチューブを収容するように径方向に拡縮自在に形成されるとともに、複数の前記係合部を有し、
前記押え側半筒体は、前記係合部のいずれにも係合する前記被係合部を有していることを特徴とする請求項１あるいは請求項２に記載の電線群支持用クリップ。
【請求項４】
前記受け側半筒体は、前記コルゲートチューブの環状凹部に嵌まり込む受け側保持片を有していることを特徴とする請求項１ないし請求項３のいずれか１項に記載の電線群支持用クリップ。
【請求項５】
前記押え側半筒体は、前記コルゲートチューブの前記環状凹部に嵌まり込む押え側保持片を有していることを特徴とする請求項１ないし請求項４のいずれか１項に記載の電線群支持用クリップ。
【請求項６】
前記係合部および前記被係合部は、前記電線群の軸方向に延びるとともに、前記受け側半筒体に対して前記押え側半筒体を前記電線群の軸方向に相対移動させることにより相互に係合するよう構成されていることを特徴とする請求項１ないし請求項３のいずれか１項に記載の電線群支持用クリップ。
【請求項７】
前記受け側半筒体および前記押え側半筒体は、前記係合部と前記被係合部との軸方向への相対移動を規制するロック機構を有していることを特徴とする請求項６に記載の電線群支持用クリップ。
【請求項８】
電線群または電線群に外装されたコルゲートチューブと、請求項１ないし請求項７のいずれか１項に記載の電線群支持用クリップとを含むことを特徴とするワイヤーハーネス。
【発明の詳細な説明】
【技術分野】
【０００１】
本発明は、電線群支持用クリップおよびワイヤーハーネスに関する。
【背景技術】
【０００２】
従来、電線群に外装されたコルゲートチューブに巻き付けられるバンド部と、バンド部の後端部に一体に形成したバンドロック部と、バンドロック部に一体に形成したクリップ部とを備えたコルゲートチューブ用クリップが知られている（例えば、特許文献１参照）。
【０００３】
バンドロック部は、コルゲートチューブに巻き付けたバンドの先端部が挿入されるとともに、バンド部を固定するよう構成されている。また、バンドロック部は、バンドが引き抜き方向へ移動できないように構成されている。クリップ部は、取付対象部材に係止するよう構成されている。
【先行技術文献】
【特許文献】
【０００４】
【特許文献１】特開２００８−２８３７９６号公報
【発明の概要】
【発明が解決しようとする課題】
【０００５】
しかしながら、上述したコルゲートチューブ用クリップは、バンドロック部からバンドを引き抜けないようになっているため、バンドを切断しないとクリップ部をコルゲートチューブから取り外すことができない。よって、コルゲートチューブの軸方向に対するクリップ部の取付位置を変更する場合や、電線群のメンテナンスに際しては、新たなコルゲートチューブ用クリップを用意しなければならなかった。
【０００６】
そこで、本発明は、上述した課題を解決するためになされたものであり、電線群または電線群に外装されたコルゲートチューブに対して繰り返し着脱することができる電線群支持用クリップおよびワイヤーハーネスを提供することを目的としている。
【課題を解決するための手段】
【０００７】
本発明に係る電線群支持用クリップは、上記目的を達成するため、取付対象部材に係止されるクリップ体と、前記クリップ体に支持されて電線群または電線群に外装されたコルゲートチューブの少なくとも半円筒部分を収容する受け側半筒体と、前記受け側半筒体で覆われない前記電線群または前記コルゲートチューブの残りの半円筒部分を収容する押え側半筒体とを備え、前記受け側半筒体の外側面部に係合部を設け、前記押え側半筒体の内側面部に前記係合部が係合する被係合部を設けた構成としている。
【０００８】
この構成により、本発明に係る電線群支持用クリップは、係合部と被係合部とを係合させて、受け側半筒体および押え側半筒体により電線群またはコルゲートチューブを周方向に取り囲むと、電線群またはコルゲートチューブに装着される。
【０００９】
本発明に係る電線群支持用クリップは、係合部と被係合部との係合を解除して、受け側半筒体および押え側半筒体を電線群またはコルゲートチューブから外すと、電線群またはコルゲートチューブが離脱する。
【００１０】
このため、本発明に係る電線群支持用クリップは、電線群またはコルゲートチューブに対して受け側半筒体および押え側半筒体を繰り返し着脱することができ、よって、電線群またはコルゲートチューブの軸方向に対する取付位置の変更や、電線群のメンテナンス等を容易に行うことができる。
【００１１】
上述した構成の電線群支持用クリップにおいて、前記クリップ体は、前記電線群の軸方向に延びる嵌合部を有し、前記受け側半筒体は、前記電線群の軸方向に延びる被嵌合部を有し、前記嵌合部および前記被嵌合部は、前記クリップ体に対して前記受け側半筒体を前記電線群の軸方向に相対移動させることにより相互に嵌合するよう構成することが好ましい。
【００１２】
この構成により、本発明に係る電線群支持用クリップは、嵌合部と被嵌合部とを嵌合させると、受け側半筒体に対してクリップ体が装着され、嵌合部と被嵌合部との嵌合を解除すると、受け側半筒からクリップ体が離脱する。
【００１３】
このため、本発明に係る電線群支持用クリップは、受け側半筒体を電線群またはコルゲートチューブの径に応じた形状のものに交換することができ、また、クリップ体を取付対象部材の仕様に応じたものに交換することができる。
【００１４】
上述した構成の電線群支持用クリップにおいて、前記受け側半筒体は、外径が一定範囲にある前記電線群または前記コルゲートチューブを収容するように径方向に拡縮自在に形成されるとともに、複数の前記係合部を有し、前記押え側半筒体は、前記係合部のいずれにも係合する前記被係合部を有している構成とすることが望ましい。
【００１５】
この構成により、本発明に係る電線群支持用クリップは、受け側半筒体に収容される電線群またはコルゲートチューブに応じて受け側半筒体の径が変化する。
【００１６】
本発明に係る電線群支持用クリップは、所定の係合部と被係合部とを係合させて、受け側半筒体および押え側半筒体により電線群またはコルゲートチューブを周方向に取り囲むと、電線群またはコルゲートチューブに対してクリップ体が装着される。
【００１７】
本発明に係る電線群支持用クリップは、所定の係合部と被係合部との係合を解除して、受け側半筒体および押え側半筒体を電線群またはコルゲートチューブから外すと、電線群またはコルゲートチューブからクリップ体が離脱する。
【００１８】
このため、本発明に係る電線群支持用クリップは、１種類の受け側半筒体により種々の径を有する電線群またはコルゲートチューブに対応することができる。
【００１９】
上述した構成の電線群支持用クリップにおいて、前記受け側半筒体は、前記コルゲートチューブの環状凹部に嵌まり込む受け側保持片を有している構成とすることが望ましい。
【００２０】
この構成により、本発明に係る電線群支持用クリップは、受け側半筒体にコルゲートチューブを収容すると、コルゲートチューブの環状凹部に受け側保持片が嵌まり込む。
【００２１】
このため、本発明に係る電線群支持用クリップは、受け側半筒体に対するコルゲートチューブの軸方向への移動を防ぐことができる。
【００２２】
上述した構成の電線群支持用クリップにおいて、前記押え側半筒体は、前記コルゲートチューブの前記環状凹部に嵌まり込む押え側保持片を有している構成とすることが望ましい。
【００２３】
この構成により、本発明に係る電線群支持用クリップは、押え側半筒体にコルゲートチューブを収容すると、コルゲートチューブの環状凹部に押え側保持片が嵌まり込む。
【００２４】
このため、本発明に係る電線群支持用クリップは、押え側半筒体に対するコルゲートチューブの軸方向への移動を防ぐことができる。
【００２５】
上述した構成の電線群支持用クリップにおいて、前記係合部および前記被係合部は、前記電線群の軸方向に延びるとともに、前記受け側半筒体に対して前記押え側半筒体を前記電線群の軸方向に相対移動させることにより相互に係合するよう構成することが望ましい。
【００２６】
この構成により、本発明に係る電線群支持用クリップは、受け側半筒体に対して押え側半筒体を電線群の軸方向に相対移動させることより、係合部と被係合部とを係合させて、受け側半筒体および押え側半筒体により電線群またはコルゲートチューブを周方向に取り囲むと、電線群またはコルゲートチューブに対してクリップ体が装着される。
【００２７】
本発明に係る電線群支持用クリップは、受け側半筒体に対して押え側半筒体を電線群の軸方向に相対移動させることにより、係合部と被係合部との係合を解除して、受け側半筒体および押え側半筒体を電線群またはコルゲートチューブから外すと、電線群またはコルゲートチューブからクリップ体が離脱する。
【００２８】
このため、本発明に係る電線群支持用クリップは、押え側半筒体を電線群の径方向に大きく広げずに、受け側半筒体に対して押え側半筒体を着脱することができる。
【００２９】
上述した構成の電線群支持用クリップにおいて、前記受け側半筒体および前記押え側半筒体は、前記係合部と前記被係合部との軸方向への相対移動を規制するロック機構を有している構成とすることが望ましい。
【００３０】
この構成により、本発明に係る電線群支持用クリップは、ロック機構によって、受け側半筒体の係合部と押え側半筒体の被係合部とが係合した状態に保持される。
【００３１】
このため、本発明に係る電線群支持用クリップは、受け側半筒体に対して押え側半筒体が簡単に離脱することがない。
【００３２】
本発明に係るワイヤーハーネスは、上記目的を達成するため、電線群または電線群に外装されたコルゲートチューブと、上述した電線群支持用クリップとを含む構成としている。
【００３３】
この構成により、本発明に係るワイヤーハーネスは、係合部と被係合部とを係合させて、受け側半筒体および押え側半筒体により電線群またはコルゲートチューブを周方向に取り囲むと、電線群またはコルゲートチューブに対してクリップ体が装着される。
【００３４】
本発明に係るワイヤーハーネスは、係合部と被係合部との係合を解除して、受け側半筒体および押え側半筒体を電線群またはコルゲートチューブから外すと、電線群またはコルゲートチューブからクリップ体が離脱する。
【００３５】
このため、本発明に係るワイヤーハーネスは、電線群またはコルゲートチューブに対してクリップ体を繰り返し着脱することができ、よって、電線群またはコルゲートチューブの軸方向に対するクリップ体の取付位置の変更や、電線群のメンテナンス等を容易に行うことができる。
【発明の効果】
【００３６】
本発明によれば、電線群または電線群に外装されたコルゲートチューブに対して繰り返し着脱することができる電線群支持用クリップおよびワイヤーハーネスを提供することができる。
【図面の簡単な説明】
【００３７】
【図１】本発明の第１の実施の形態に係る電線群支持用クリップの構成図であって、（ａ）はクリップ体の正面図、（ｂ）は受け側半筒体の正面図、（ｃ）は押え側半筒体の正面図である。
【図２】本発明の第１の実施の形態に係る電線群支持用クリップの構成図であって、（ａ）はクリップ体に受け側半筒体を組み付けた状態を示す正面図、（ｂ）は受け側半筒体に電線群を収容した状態を示す正面図、（ｃ）は受け側半筒体および押え側半筒体に電線群を収容した状態を示す正面図である。
【図３】本発明の第１の実施の形態に係る電線群支持用クリップの構成図であって、図２（ｂ）のＡ−Ａ断面図である。
【図４】本発明の第１の実施の形態に係る電線群支持用クリップの構成図であって、図２（ｃ）のＢ−Ｂ断面図である。
【図５】本発明の第１の実施の形態に係る電線群支持用クリップの構成図であって、受け側半筒体に押え側半筒体を係合させる状態を示す側面図である。
【図６】本発明の第１の実施の形態に係る電線群支持用クリップの構成図であって、図２（ｃ）のＣ方向視図である。
【図７】本発明の第２の実施の形態に係る電線群支持用クリップの構成図であって、受け側半筒体の正面図である。
【図８】本発明の第２の実施の形態に係る電線群支持用クリップの構成図であって、受け側半筒体および押え側半筒体に電線群を収容した状態を示す正面図である。
【図９】本発明の第３の実施の形態に係る電線群支持用クリップの構成図であって、（ａ）は受け側半筒体の正面図、（ｂ）は押え側半筒体の正面図である。
【図１０】本発明の第３の実施の形態に係る電線群支持用クリップの構成図であって、（ａ）はクリップ体に受け側半筒体を組み付けた状態を示す正面図、（ｂ）は受け側半筒体に電線群を収容した状態を示す正面図、（ｃ）は受け側半筒体および押え側半筒体に電線群を収容した状態を示す正面図である。
【図１１】本発明の第３の実施の形態に係る電線群支持用クリップの構成図であって、図１０（ｃ）のＤ−Ｄ断面図である。
【発明を実施するための形態】
【００３８】
以下、実施の形態に係る電線群支持用クリップおよびワイヤーハーネスについて、図面を参照して説明する。
【００３９】
（第１の実施の形態）
図２（ｃ）に示すように、第１の実施の形態に係る電線群支持用クリップ１は、いずれも例えばポロプロピレン等の合成樹脂製の成形体であるクリップ体１０、受け側半筒体２０および押え側半筒体３０を備えてなる。
【００４０】
図１（ａ）に示すように、クリップ体１０は、アタッチメント部１１と、アンカークリップ部１２とを含んで構成されている。
【００４１】
図１（ａ）、図２（ａ）に示すように、アタッチメント部１１は、下方に向けて開口するとともに、一端部から他端部に向けて貫通する嵌合溝部１３を有している。嵌合溝部１３は、図１（ａ）の正面視において、上側部分が広幅で下側部分が狭幅となる略Ｔ字状の開口断面を有しており、図１（ａ）、図３に示すように、広幅部分の左右両壁面部の所定個所に凹状のロック部１４を備えている。
【００４２】
アンカークリップ部１２は、図示しない取付対象部材に穿設された図示しない取付孔に係止可能な形状を有し、アタッチメント部１１の上部に設けられている。ここで、取付対象部材とは、例えば、車両のボディパネルを指している。
【００４３】
これらアタッチメント部１１およびアンカークリップ部１２は、アンカークリップ部１２の弾性変形、ならびに嵌合溝部１３の拡縮等が許容される所要の肉厚・寸法に構成されている。
【００４４】
図１（ｂ）、図２（ｂ）に示すように、受け側半筒体２０は、電線群４０に上側から覆い被さって電線群４０の上側半分以上を収納する湾曲板形状を有し、上部に前述したアタッチメント部１１の嵌合溝部１３に嵌合する嵌合凸部２１が設けられている。ここで、電線群４０とは、複数の電線４１に粘着テープ４２を巻き付けて一体化したものを指している。
【００４５】
嵌合凸部２１は、図２（ｂ）の正面視において、上側部分が広幅で下側部分が狭幅となる略Ｔ字状の断面を有しており、図３に示すように、広幅部分の左右両壁面部の所定個所に前述した嵌合溝部１３のロック部１４に嵌合する凸状のロック部２２を備えている。
【００４６】
また、受け側半筒体２０は、外側面部の上側左右部分に受け側半筒体２０の一端部から他端部に向けて延びる一対の係合溝部２３を備えている。一対の係合溝部２３は、図２（ｂ）において、嵌合凸部２１の中央部を通る縦中心線を対称に位置している。係合溝部２３には、図１（ｂ）、図４、図５に示すように、軸方向の所定個所に凸状のロック部２４を備えられている。
【００４７】
これら受け側半筒体２０および嵌合凸部２１は、樹脂材料により一体に形成され、受け側半筒体２０の径方向への拡縮、ならびに嵌合凸部２１の弾性変形等が許容されるようになっている。
【００４８】
図１（ｃ）、図２（ｃ）に示すように、押え側半筒体３０は、電線群４０に下側から覆い被さって電線群４０の下側半分以上を収納する湾曲板形状を有し、内側面部の上側左右部分に一端部から他端部に向けて延びる一対の係合凸部３１を備えている。
【００４９】
係合凸部３１は、前述した受け側半筒体２０の係合溝部２３に係合するようになっており、図４、図５に示すように、軸方向の所定個所に前述した受け側半筒体２０のロック部２４に嵌合する凹状のロック部３２を備えている。
【００５０】
また、図２（ｃ）に示すように、受け側半筒体２０および押え側半筒体３０は、係合凸部３１と係合溝部２３とが相互に係合したときに、受け側半筒体２０の外側面部と押え側半筒体３０の内側面部とが部分的に重なるように構成されている。
【００５１】
この押え側半筒体３０は、樹脂材料により形成され、押え側半筒体３０の径方向への拡縮が許容されるようになっている。
【００５２】
次に、電線群４０にクリップ体１０を着脱する手順について説明する。
【００５３】
電線群４０にクリップ体１０を装着するときは、まず、図２（ａ）に示すように、アタッチメント部１１の嵌合溝部１３の基端部に受け側半筒体２０の嵌合凸部２１の先端部を挿入するとともに、アタッチメント部１１に対して受け側半筒体２０を嵌合溝部１３の長手方向に相対移動させて、嵌合溝部１３と嵌合凸部２１とを相互に嵌合させる。これにより、クリップ体１０に受け側半筒体２０が組み付けられる。
【００５４】
また、嵌合溝部１３と嵌合凸部２１とが嵌合すると、図３に示すように、嵌合溝部１３の凹状のロック部１４に嵌合凸部２１の凸状のロック部２２が嵌合して、アタッチメント部１１に対する受け側半筒体２０の軸方向への相対移動が規制されることになる。
【００５５】
次いで、図２（ｂ）に示すように、受け側半筒体２０を上方から電線群４０に押し当てて、電線群４０の上側部分を受け側半筒体２０内に収容する。
【００５６】
さらに、図２（ｂ）に示すように、押え側半筒体３０を下方から電線群４０および受け側半筒体２０に押し当てて、押え側半筒体３０の係合凸部３１と受け側半筒体２０の係合溝部２３とを相互に係合させる。
【００５７】
これにより、図２（ｃ）、図６に示すように、電線群４０を受け側半筒体２０および押え側半筒体３０により周方向に取り囲んで、電線群４０に対して受け側半筒体２０を介してクリップ体１０を装着する。
【００５８】
また、係合凸部３１と係合溝部２３とが係合すると、図４に示すように、係合凸部３１の凹状のロック部３２に係合溝部２３の凸状のロック部２４が嵌合して、受け側半筒体２０に対する押え側半筒体３０の軸方向への相対移動が規制されることになる。
【００５９】
押え側半筒体３０を受け側半筒体２０に組み付ける際には、図５に示すように、受け側半筒体２０と押え側半筒体３０とを軸方向に直列に位置させたうえ、受け側半筒体２０の係合溝部２３の基端部に押え側半筒体３０の係合凸部３１の先端部を挿入するとともに、受け側半筒体２０に対して押え側半筒体３０を係合溝部２３の長手方向に相対移動させ、係合溝部２３と係合凸部３１とを相互に係合させてもよい。
【００６０】
上述したクリップ体１０、受け側半筒体２０、押え側半筒体３０および電線群４０を含んで構成されるワイヤーハーネス１０１を、例えば、図示しないボディパネルに実装するときには、ボディパネルに穿設された図示しない取付孔にアンカークリップ部１２を差し込んで、アンカークリップ部１２をボディパネルに係止させるようにする。
【００６１】
電線群４０からクリップ体１０を離脱させるときは、手作業により押え側半筒体３０を径方向に押し広げて、受け側半筒体２０の係合溝部２３に対する押え側半筒体３０の係合凸部３１を解除するとともに、押え側半筒体３０を電線群４０から引き離す。さらに、電線群４０を受け側半筒体２０から引き出すと、クリップ体１０が電線群４０から離脱する。
【００６２】
あるいは、手作業により押え側半筒体３０を受け側半筒体２０に対して係合溝部２３の長手方向に引き抜いたうえ、電線群４０を受け側半筒体２０から引き出すと、クリップ体１０が電線群４０から離脱する。
【００６３】
電線群支持用クリップ１で電線群４０を支持させるには、電線群４０を受け側半筒体２０に掴まれるように組んでから、受け側半筒体２０と押え側半筒体３０とを係合させる。受け側半筒体２０と押え側半筒体３０との係合は、係合溝部２３と係合凸部３１とを係合させ、凸部のロック部２４と凹状のロック部３２とを係合させることにより行い、これにより、受け側半筒体２０と押え側半筒体３０との軸方向への相対移動を規制できる。
【００６４】
クリップ体１０の組付けは、受け側半筒体２０と押え側半筒体３０の組付けの前後どちらでもよい。クリップ体１０と受け側半筒体２０との組付けは、嵌合溝部１３の一端に嵌合凸部２１の一端を嵌合させ、クリップ体１０と受け側半筒体２０と軸方向に一致するように相対的にスライドさせ、嵌合溝部１３とロック部１４とを係合ロックする。これにより、クリップ体１０と受け側半筒体２０とは、振動等の外力で解離することがない。また、クリップ体１０と受け側半筒体２０とを解離するには、クリップ体１０と受け側半筒体２０とが軸方向に互いにずれるように外力を加えて、嵌合溝部１３とロック部１４との係合ロックを解き、かつ嵌合溝部１３と嵌合凸部２１との嵌合が外れるようにする。
【００６５】
電線群支持用クリップ１は、クリップ体１０と受け側半筒体２０との組付・分離が自在な構成なので、それぞれ大きさが異なる複数種のクリップ体１０と受け側半筒体２０を揃えておくと、取付対象部材の仕様に応じたクリップ体１０を選択して交換することができ、また受け側半筒体２０を電線群４０の径に応じた形状のものに交換することができる。
【００６６】
このように、電線群支持用クリップ１は、電線群４０を繰り返しに着脱することができるので、電線群４０の軸方向に対するクリップ体１０の取付位置の変更や、電線群４０のメンテナンス等を容易に行うことができる。
【００６７】
また、電線群支持用クリップ１は、電線群に外装されたコルゲートチューブにも適用することができる。
【００６８】
（第２の実施の形態）
図８に示すように、第２の実施の形態に係る電線群支持用クリップ２は、クリップ体１０、受け側半筒体２０Ａおよび押え側半筒体３０を備えてなる。受け側半筒体２０Ａは、第１の実施の形態の受け側半筒体２０と相違し、クリップ体１０および押え側半筒体３０は、第１の実施の形態のものと同様に構成されている。以下では、受け側半筒体２０Ａを中心に説明し、第１の実施の形態と同一のものは、図７、図８において、図１ないし図６と同一の符号を付して説明を省略する。
【００６９】
受け側半筒体２０Ａは、第１の実施の形態と同様に、外側面部の上側左右部分において一端部から他端部に向けて延びる一対の係合溝部２３を備えており、さらに、外側面部の下側左右部分において一端部から他端部に向けて延びる一対の係合溝部２５を備えている。一対の係合溝部２３ならびに一対の係合溝部２５は、図２（ｂ）において、嵌合凸部２１の中央部を通る縦中心線を対称に位置している。係合溝部２３には、軸方向の所定個所に凸状のロック部２４が備えられ、また係合溝部２５には、軸方向の所定個所に凸状のロック部２６が備えられている。
【００７０】
係合凸部３１は、係合溝部２３と係合溝部２５とに選択的に係合することができる。すなわち、電線群５０の径が小さいときには、係合凸部３１と係合溝部２３とを係合し、電線群５０の径が大きいときには、図８に示すように、係合凸部３１と係合溝部２５とを係合する。
【００７１】
このように、電線群支持用クリップ２は、受け側半筒体２０および押え側半筒に収容される電線群５０の径に応じて受け側半筒体２０Ａおよび押え側半筒体３０の径が変化する。
【００７２】
上述したクリップ体１０、受け側半筒体２０、押え側半筒体３０および電線群５０を含んで構成されるワイヤーハーネス１０２を、例えば、図示しないボディパネルに実装するときには、ボディパネルに穿設された図示しない取付孔にアンカークリップ部１２を差し込んで、アンカークリップ部１２をボディパネルに係止させるようにする。
【００７３】
（第３の実施の形態）
図９ないし図１１に示すように、第３の実施の形態に係る電線群支持用クリップ３は、クリップ体１０、受け側半筒体２０Ｂおよび押え側半筒体３０Ａを備えている。受け側半筒体２０Ｂおよび押え側半筒体３０Ａは、第１の実施の形態の受け側半筒体２０、押え側半筒体３０と相違し、クリップ体１０は、第１の実施の形態のものと同様に構成されている。以下では、受け側半筒体２０Ｂおよび押え側半筒体３０Ａを中心に説明し、第１の実施の形態と同一のものは、図９ないし図１１において、図１ないし図６と同一の符号を付して説明を省略する。
【００７４】
電線群支持用クリップ３は、電線群４０に外装されたコルゲートチューブ６０を、受け側半筒体２０Ｂおよび押え側半筒体３０Ａにより周方向に取り囲むようになっている。
【００７５】
受け側半筒体２０Ｂは、図９（ａ）、図１０（ｂ）に示すように、内側面部にコルゲートチューブ６０の環状凹部６１に嵌まり込む受け側保持片２７を有している。
【００７６】
押え側半筒体３０Ａは、図９（ｂ）、図１０（ｂ）に示すように、内側面部にコルゲートチューブ６０の環状凹部６１に嵌まり込む押え側保持片３３を有している。
【００７７】
次に、コルゲートチューブ６０にクリップ体１０を着脱する手順について説明する。
【００７８】
コルゲートチューブ６０にクリップ体１０を装着するときは、前述した電線群支持用クリップ１，２と同様に、アタッチメント部１１の嵌合溝部１３と受け側半筒体２０Ｂの嵌合凸部２１と嵌合させて、クリップ体１０に受け側半筒体２０Ｂを組み付ける。
【００７９】
次いで、受け側半筒体２０Ｂを上方からコルゲートチューブ６０に押し当てて、コルゲートチューブ６０の上側部分を受け側半筒体２０Ｂ内に収容するとともに、コルゲートチューブ６０の環状凹部６１に受け側半筒体２０Ｂの受け側保持片２７を嵌め込む。コルゲートチューブ６０の環状凹部６１に受け側保持片２７が嵌まり込むと、受け側半筒体２０Ｂに対するコルゲートチューブ６０の軸方向への移動が規制される。
【００８０】
さらに、押え側半筒体３０Ａを下方からコルゲートチューブ６０および受け側半筒体２０Ｂに押し当てて、押え側半筒体３０Ａの係合凸部３１と受け側半筒体２０Ｂの係合溝部２５とを相互に係合させるとともに、コルゲートチューブ６０の環状凹部６１に押え側半筒体３０Ａの押え側保持片３３を嵌め込む。
【００８１】
これにより、図１０（ｃ）、図１１に示すように、コルゲートチューブ６０を受け側半筒体２０Ｂおよび押え側半筒体３０Ａにより周方向に取り囲んで、コルゲートチューブ６０に対して受け側半筒体２０Ｂを介してクリップ体１０を装着する。
【００８２】
また、コルゲートチューブ６０の環状凹部６１に押え側保持片３３が嵌まり込むと、押え側半筒体３０Ａに対するコルゲートチューブ６０の軸方向への移動が規制される。
【００８３】
上述したクリップ体１０、受け側半筒体２０Ｂ、押え側半筒体３０Ａ、電線群４０およびコルゲートチューブ６０を含んで構成されるワイヤーハーネス１０３を、例えば、図示しないボディパネルに実装するときには、ボディパネルに穿設された図示しない取付孔にアンカークリップ部１２を差し込んで、アンカークリップ部１２をボディパネルに係止させるようにする。
【００８４】
コルゲートチューブ６０からクリップ体１０を離脱させるときは、手作業により押え側半筒体３０Ａを径方向に押し広げて、受け側半筒体２０Ｂの係合溝部２３に対する押え側半筒体３０Ａの係合凸部３１を解除するとともに、押え側半筒体３０Ａをコルゲートチューブ６０から引き離す。さらに、コルゲートチューブ６０を受け側半筒体２０Ｂから引き出すと、クリップ体１０がコルゲートチューブ６０から離脱する。
【００８５】
電線群支持用クリップ３は、受け側半筒体２０Ｂにコルゲートチューブ６０を収容すると、コルゲートチューブ６０の環状凹部６１に受け側保持片２７が嵌まり込む。
【００８６】
このため、電線群支持用クリップ３は、受け側半筒体２０Ｂに対するコルゲートチューブ６０の軸方向への移動を防ぐことができる。
【００８７】
電線群支持用クリップ３は、押え側半筒体３０Ａにコルゲートチューブ６０を収容すると、コルゲートチューブ６０の環状凹部６１に押え側保持片３３が嵌まり込む。
【００８８】
このため、電線群支持用クリップ３は、押え側半筒体３０Ａに対するコルゲートチューブ６０の軸方向への移動を防ぐことができる。
【００８９】
（その他の実施の形態）
本発明は、上記の実施の形態に限定されるものでなく、特許請求の範囲に記載された本発明の技術的範囲には、発明の要旨を逸脱しない範囲内で種々、設計変更した形態が含まれる。
【００９０】
上記の実施の形態では、クリップ体と受け側半筒体とを分離したものが示されているが、クリップ体と受け側半筒体とを一体とした構成も含まれる。
【００９１】
以上説明したように、本発明に係る電線群支持用クリップおよびワイヤーハーネスは、電線群または電線群に外装されたコルゲートチューブに対して繰り返し着脱することができるという効果を有し、車両、種々の装置、機械設備等に採用される電線群支持用クリップおよびワイヤーハーネス全般に有用である。
【符号の説明】
【００９２】
１０１，１０２，１０３  ワイヤーハーネス
１，２，３  電線群支持用クリップ
１０  クリップ体
１１  アタッチメント部
１２  アンカークリップ部
１３  嵌合溝部
１４，２２，２４，２６，３２  ロック部（ロック機構）
２０，２０Ａ，２０Ｂ  受け側半筒体
２０  受け側半筒体
２１  嵌合凸部（被嵌合部）
２３  係合溝部（係合部）
２５  係合溝部（係合部）
２７  受け側保持片
３０  押え側半筒体
３１  係合凸部（被係合部）
３３  押え側保持片
４０，５０  電線群
６０  コルゲートチューブ６０
６１  環状凹部
【図１】
2015133774.tif 000003
【図２】
2015133774.tif 000004
【図３】
2015133774.tif 000005
【図４】
2015133774.tif 000006
【図５】
2015133774.tif 000007
【図６】
2015133774.tif 000008
【図７】
2015133774.tif 000009
【図８】
2015133774.tif 000010
【図９】
2015133774.tif 000011
【図１０】
2015133774.tif 000012
【図１１】
2015133774.tif 000013